(57)【要約】【課題】オイルパン底面壁からの放射音の発生を抑制できるオイルパンを提供する。【解決手段】側面壁１１と底面壁１２とを備える枠体であって、エンジンオイルを蓄える深底部１５とエンジンオイルを深底部１５に流す浅底部１６とを有するオイルパン１００において、底面壁１２は、浅底部１６から深底部１５に向かう長手方向に沿って延設されるとともに長手方向に直交する幅方向に亘って複数設けられ、幅方向断面が円弧状に膨出する膨出部１２Ｂと、長手方向に沿って延設されるとともに膨出部１２Ｂ同士の間に設けられ、幅方向断面が膨出部１２Ｂの曲率よりも大きい曲率の円弧状であって膨出部１２Ｂの膨出方向とは逆側に突出する突出部１２Ｃと、を備える。【選択図】図２
2009287436.tif 000002
【特許請求の範囲】
【請求項１】
側面壁と底面壁とを備える枠体であって、エンジンオイルを蓄える深底部とエンジンオイルを深底部に流す浅底部とを有するオイルパンにおいて、
前記底面壁は、
前記浅底部から前記深底部に向かう長手方向に沿って延設されるとともに長手方向に直交する幅方向に亘って複数設けられ、幅方向断面が円弧状に膨出する膨出部と、
長手方向に沿って延設されるとともに前記膨出部同士の間に設けられ、幅方向断面が前記膨出部の曲率よりも大きい曲率の円弧状であって前記膨出部の膨出方向とは逆側に突出する突出部と、
を備えることを特徴とするオイルパン。
【請求項２】
前記膨出部は、オイルパン外側に膨出するように形成され、
前記突出部は、オイルパン内側に突出するように形成される、
ことを特徴とする請求項１に記載のオイルパン。
【請求項３】
複数形成される前記膨出部のうち１つの膨出部の幅方向中心は、前記側面壁間の幅方向中心を垂直方向に通る線上に設定される、
ことを特徴とする請求項１又は請求項２に記載のオイルパン。
【請求項４】
前記膨出部の曲率は、前記突出部の曲率の半分よりも小さくなるように設定される、
ことを特徴とする請求項１から請求項３のいずれか１つに記載のオイルパン。
【請求項５】
前記底面壁は、前記浅底部から深底部に向かって下り勾配となるように、傾斜角度が異なる傾斜面を複数形成する、
ことを特徴とする請求項１から請求項４のいずれか１つに記載のオイルパン。
【発明の詳細な説明】
【技術分野】
【０００１】
本発明は、エンジンのオイルパンに関する。
【背景技術】
【０００２】
従来から、エンジンのシリンダブロック下部に配置され、エンジンオイルを一時的に蓄えるオイルパンが知られている（例えば、特許文献１）。エンジン本体からの振動によってオイルパンが加振されると、オイルパン壁面が膜振動して、オイルパン壁面から放射音が発生する。この放射音は騒音となって車両の乗り心地を悪化させる。
【０００３】
特許文献１のオイルパンは、オイルパン側面壁に円弧状の曲面を形成することで、オイルパン側面壁の膜振動を抑えて放射音の発生を抑制する。
【特許文献１】特開昭６１−２５２８５６号公報
【発明の開示】
【発明が解決しようとする課題】
【０００４】
しかしながら、特許文献１に記載のオイルパンでは、エンジン本体からの振動によって最も膜振動しやすいオイルパン底面壁については考慮されておらず、オイルパン底面壁からの放射音の発生を低減できないという問題がある。
【０００５】
そこで、本発明は、上記した問題に鑑みてなされたものであり、オイルパン底面壁からの放射音の発生を抑制できるオイルパンを提供することを目的とする。
【課題を解決するための手段】
【０００６】
本発明は、以下のような解決手段によって前記課題を解決する。
【０００７】
なお、理解を容易にするために本発明の実施形態に対応する符号を付するが、これに限定されるものではない。
【０００８】
本発明は、側面壁（１１）と底面壁（１２）とを備える枠体であって、エンジンオイルを蓄える深底部（１５）とエンジンオイルを深底部（１５）に流す浅底部（１６）とを有するオイルパン（１００）において、底面壁（１２）は、浅底部（１６）から深底部（１５）に向かう長手方向に沿って延設されるとともに長手方向に直交する幅方向に亘って複数設けられ、幅方向断面が円弧状に膨出する膨出部（１２Ｂ）と、長手方向に沿って延設されるとともに膨出部（１２Ｂ）同士の間に設けられ、幅方向断面が膨出部（１２Ｂ）の曲率よりも大きい曲率の円弧状であって膨出部（１２Ｂ）の膨出方向とは逆側に突出する突出部（１２Ｃ）と、を備えることを特徴とする。
【発明の効果】
【０００９】
本発明によれば、オイルパンの底面壁に膨出部及び突出部を形成して底面壁の剛性を高める。大きな曲率の突出部は、オイルパン長手方向に沿って延設され、底面壁においてリブとしての役割を果たすので、底面壁の剛性をより高める。これにより、底面壁の膜振動を抑制でき、振動に起因して生じる放射音の音圧レベルを低減することができる。また、コンパクトな構成で底面壁の剛性を高めるので、底面壁に膨出部や突出部を形成しても、オイルパン重量の増加やレイアウト性の悪化を可能な限り抑制することができる。
【発明を実施するための最良の形態】
【００１０】
以下、図１から図４を参照して、本発明の実施の形態について説明する。
【００１１】
図１は、オイルパン１００の概略構成図である。
【００１２】
エンジンは、クランクシャフトが車両前後方向に延設するように車両に搭載される。オイルパン１００は、エンジンのシリンダブロック下側に配置され、エンジン内部を還流するエンジンオイルを一時的に蓄える。オイルパン１００は、上部オイルパン１０と下部オイルパン２０とを備える。上部オイルパン１０はシリンダブロック下側に配置され、この上部オイルパン１０の下側に下部オイルパン２０が配置される。
【００１３】
なお、本実施形態では、オイルパン１００を分割構造としたが、上部オイルパン１０と下部オイルパン２０とを一体形成するように構成してもよい。
【００１４】
図２（Ａ）から図２（Ｃ）を参照して、上部オイルパン１０の詳細について説明する。
【００１５】
図２（Ａ）は、上部オイルパン１０の平面図である。図２（Ｂ）は、図２（Ａ）のＢ−Ｂ位置における、上部オイルパン１０の幅方向断面図である。図２（Ｃ）は、図２（Ａ）のＣ−Ｃ位置における、上部オイルパン１０の長手方向断面図である。
【００１６】
図２（Ａ）に示すように、上部オイルパン１０は、側面壁１１と底面壁１２とを備える略箱状の枠体として構成される。上部オイルパン１０は、上方に開口しており、側面壁１１の上面に形成されたフランジ１３を介してシリンダブロックの下側に固定される。上部オイルパン１０は、下方に開口するように底面壁１２の一部に開口部１２Ａを形成し、この開口部１２Ａを覆うように下部オイルパン２０が配置される。
【００１７】
図２（Ｃ）に示すように、上部オイルパン１０は内部に、エンジンオイルを貯留する深底部１５と、深底部１５よりも相対的に浅い浅底部１６とを有する。
【００１８】
深底部１５は、浅底部１６よりも車両前方側に位置する。この深底部１５は、下部オイルパン２０が設置された状態でエンジンオイルを貯留する。
【００１９】
浅底部１６は、車両後方側に位置し、深底部１５に向かってエンジンオイルを流す。したがって、浅底部１６を画成する底面壁１２は、浅底部１６のエンジンオイルを深底部１５に向かってスムーズに流すため、長手方向において深底部１５に向かって下り勾配となるように、傾斜角度の異なる傾斜面１２Ａ1〜１２Ａ4を形成する。
【００２０】
また、底面壁１２は、図２（Ｂ）に示すように、オイルパン外側に向かって円弧状に膨出する膨出部１２Ｂと、オイルパン内側に向かって円弧上に突出する突出部１２Ｃとを有する。
【００２１】
膨出部１２Ｂは、破線で示す円Ｃ1の円弧の一部として形成される。膨出部１２Ｂは、幅方向に亘って３つ設けられる。これらの膨出部１２Ｂは、長手方向に沿って平行に延設される。３つの膨出部１２Ｂのうち中央に配置される膨出部１２Ｂの幅方向中心は、側面壁１１間の幅方向中心を垂直方向に通る線Ｄ上に設定される。
【００２２】
突出部１２Ｃは、破線で示す円Ｃ2の円弧の一部として形成される。突出部１２Ｃは、膨出部１２Ｂ同士の間に設けられ、幅方向に２つ形成される。これらの突出部１２Ｃは、長手方向に沿って平行に延設される。
【００２３】
３つの膨出部１２Ｂの曲率は等しく設定されており、２つの突出部１２Ｃの曲率は等しく設定されている。但し、膨出部１２Ｂの曲率は、突出部１２Ｃの曲率の半分よりも小さくなるように設定される。
【００２４】
オイルパン１００では、上部オイルパン１０の底面壁１２に複数の膨出部１２Ｂを形成するとともに膨出部１２Ｂ同士の間に突出部１２Ｃを形成することで、底面壁１２の剛性を高める。上部オイルパンの底面壁の剛性を高める方法としては、図３（Ａ）に示すようにオイルパン２００の上部オイルパン２１０の底面壁２１２にリブ２１２Ａを形成することも考えられる。このオイルパン２００は、図３（Ｂ）に示す本実施形態のオイルパン１００と比較するためのものである。
【００２５】
図３（Ａ）に示すように、オイルパン２００では、平坦な底面壁２１２に長手方向に沿ってリブ２１２Ａを形成して断面二次モーメントを向上させることで、底面壁２１２の剛性を高める。しかしながら、このように断面二次モーメントを向上させる場合には、リブ２１２Ａの幅Ｗや高さＨ等が大きくなってリブ形状が大型化し、オイルパン重量が増加したり、レイアウト性が悪化したりする。
【００２６】
これに対して、本実施形態のオイルパン１００では、図３（Ｂ）に示すように、底面壁１２に膨出部１２Ｂ及び突出部１２Ｃを形成し、底面壁１２全体を利用して、底面壁１２の剛性を確保する。そのため、オイルパン１００は、底面壁２１２とは別にリブ２１２Ａを形成するオイルパン２００と比較してコンパクトな構成で剛性を高めることができ、オイルパン重量の増加やレイアウト性の悪化を抑制することができる。
【００２７】
上記の通りオイルパン１００は、上部オイルパン１０の底面壁１２の剛性を高めるので、底面壁１２の膜振動を抑制でき、底面壁１２からの放射音の音圧レベルを低減できる。
【００２８】
図４（Ａ）から図４（Ｃ）は、放射音の音圧レベルの低減効果について説明する図である。
【００２９】
図４（Ａ）の位置Ａに示すように、エンジン本体が振動した時に振動しやすい底面壁１２の幅方向中心を加振位置とする。この加振位置Ａにおける上部オイルパン１０の底面壁１２の振動レベルと底面壁１２からの放射音の音圧レベルについて説明する。
【００３０】
図４（Ｂ）は、周波数と底面壁１２の振動レベルとの関係を示す図である。図４（Ｃ）は、周波数と底面壁１２からの放射音の音圧レベルとの関係を示す図である。図４（Ｂ）及び図４（Ｃ）において、実線は本実施形態のオイルパン１００を示し、破線は膨出部及び突出部を設けていない平坦な底面壁を備える比較例としてのオイルパンを示す。
【００３１】
オイルパン１００の上部オイルパン１０では、底面壁１２に膨出部１２Ｂ及び突出部１２Ｃを設けて底面壁１２の剛性を高めるので、図４（Ｂ）の斜線領域Ｐに示すように、実線の振動レベルがほとんどの周波数において破線の振動レベルよりも低下する。
【００３２】
そのため、図４（Ｃ）に示すように、実線の音圧レベルは多くの周波数帯において破線の音圧レベルよりも低下する。また、実線の音圧レベルは、図４（Ｃ）の破線領域Ｑに示すように破線の音圧レベルで最大となる周波数帯においても低下する。したがって、底面壁１２に膨出部１２Ｂ及び突出部１２Ｃを形成した上部オイルパン１０では、底面壁１２からの放射音の発生が抑制される。
【００３３】
以上により、第１実施形態のオイルパン１００では、下記の効果を得ることができる。
【００３４】
オイルパン１００では、上部オイルパン１０の底面壁１２に円弧状であって小さな曲率の膨出部１２Ｂと大きな曲率の突出部１２Ｃとを形成して、底面壁１２の剛性を高める。大きな曲率の突出部１２Ｃは、オイルパン長手方向に沿って延設され、底面壁１２においてリブとしての役割を果たすので、底面壁１２の剛性をより高める。これにより、底面壁１２の膜振動を抑制でき、振動に起因して生じる放射音の音圧レベルを低減することが可能となる。このようにオイルパン１００は、コンパクトな構成で剛性を高めることができるので、底面壁１２に膨出部１２Ｂや突出部１２Ｃを形成しても、オイルパン重量の増加やレイアウト性の悪化を可能な限り抑制できる。
【００３５】
また、オイルパン１００では、曲率な小さな膨出部１２Ｂをオイルパン外側に膨出するように形成し、曲率の大きな突出部１２Ｃをオイルパン内側に突出するように形成するので、オイルパン容積を十分に確保することできる。
【００３６】
さらに、オイルパン１００では、上部オイルパン１０の底面壁１２に、浅底部１６から深底部１５に向かって下り勾配となる傾斜面１２Ａ1〜１２Ａ4を複数形成する。このように上部オイルパン長手方向に傾斜角度の異なる傾斜面１２Ａ1〜１２Ａ4を配置することで、底面壁１２の剛性をより高めることができる。
【００３７】
本発明は上記した実施形態に限定されずに、その技術的な思想の範囲内において種々の変更がなしうることは明白である。
【００３８】
本実施形態では、上部オイルパン１０の底面壁１２に膨出部１２Ｂ及び突出部１２Ｃを形成したが、下部オイルパン２０の底面壁にも膨出部及び突出部を形成するようにしてもよい。
【００３９】
本実施形態では、上部オイルパン１０の底面壁１２に円弧状の膨出部１２Ｂを幅方向に３つ形成するようにしたが、レイアウト性等を考慮して図５（Ａ）から図５（Ｃ）に示すように膨出部１２Ｂを形成するようにしてもよい。
【００４０】
オイルパン１００では、円Ｃ1の円弧の一部として膨出部１２Ｂを形成するが（図２（Ｂ）参照）、図５（Ａ）に示すように、楕円Ｃ3の曲線の一部として曲率が連続的に変化するように膨出部１２Ｂを形成してもよい。また、オイルパン１００では、３つの膨出部１２Ｂの曲率を同一に設定するが、図５（Ｂ）に示すように、幅方向の中央に配置される膨出部１２Ｂの曲率を、両側に配置される２つの膨出部１２Ｂの曲率よりも小さく設定するようにしてもよい。さらに、オイルパン１００では、幅方向に３つの膨出部１２Ｂを形成したが、図５（Ｃ）に示すように、幅方向に４つの膨出部１２Ｂを形成するとともに、それら膨出部１２Ｂの曲率が異なるように設定してもよい。
【００４１】
図５（Ａ）から図５（Ｃ）のように底面壁１２の膨出部１２Ｂを形成しても、本実施形態と同様に底面壁１２の剛性を高めることができる。
【００４２】
本実施形態では、上部オイルパン１０の底面壁１２に浅底部１６から深底部１５に向かって下り勾配となる傾斜面１２Ａ1〜１２Ａ4を複数形成したが、図６（Ａ）に示すように平坦面１２Ａ1から深底部１５に向かって傾斜する傾斜面１２Ａ2を有するように構成したり、図６（Ｂ）に示すように傾斜面１２Ａを湾曲させ、傾斜面１２Ａの傾斜角度が連続的に変化するように構成したりしてもよい。
【００４３】
図６（Ａ）及び図６（Ｂ）のように底面壁１２の傾斜面１２Ａを形成しても、本実施形態と同様に底面壁１２の剛性を高めることができる。
【図面の簡単な説明】
【００４４】
【図１】オイルパンの概略構成図である。
【図２】上部オイルパンの概略構成図である。
【図３】上部オイルパンの底面壁の剛性を高める方法について説明する図である。
【図４】上部オイルパンの底面壁から発生する放射音の音圧レベル低減効果について説明する図である。
【図５】上部オイルパンの底面壁に形成される膨出部のバリエーションについて説明する図である。
【図６】上部オイルパンの底面壁に形成される傾斜面のバリエーションについて説明する図である。
【符号の説明】
【００４５】
１００  オイルパン
１０  上部オイルパン
２０  下部オイルパン
１１  側面壁
１２  底面壁
１２Ａ  傾斜面
１２Ｂ  膨出部
１２Ｃ  突出部
１５  深底部
１６  浅底部
【図１】
2009287436.tif 000003
【図２】
2009287436.tif 000004
【図３】
2009287436.tif 000005
【図４】
2009287436.tif 000006
【図５】
2009287436.tif 000007
【図６】
2009287436.tif 000008